(57)【要約】【課題】  コードレス電話システムにおいて、親機を主装置に接続するだけで自動的に登録設定を行うことを目的とする。【解決手段】  コードレス電話主装置１０に、内線に接続される親機（呼び出し符号付与）３０−１に対し呼び出し符号等を要求する制御部１１を備え、親機３０−１は呼び出し符号等の要求に対応して呼び出し符号を主装置に送出し、主装置１０の記憶部１２および親機３０の親機記憶部３２に親機運用データを格納する。一方、親機（呼び出し符号未付与）３０−２が接続されたときに、呼び出し符号を付与し、主装置１０の記憶部１２および親機３０−２親機記憶部３２に親機運用データを格納する。【選択図】      図２
2006025368.tif 000002
【特許請求の範囲】
【請求項１】
外線に接続され複数の内線回路を収容するコードレス電話主装置と、該コードレス電話主装置に内線回路に接続されるコードレス電話親機と、該コードレス電話親機との間で無線通信するコードレス電話子機とからなるコードレス電話システムにおいて、
コードレス電話主装置は、システム構築時であって内線回路にコードレス電話親機が接続されたときに、接続されたコードレス電話親機に対して呼び出し符号を要求する機能と、取得した呼び出し符号を内線回路部の収容番号データに対応させて記憶する機能と、接続されたコードレス電話親機が呼び出し符号を持っていないときに、前記呼び出し符号を持っているコードレス電話親機から取得した呼び出し符号を、呼び出し符号を持っていないコードレス電話親機に通知する機能とを有し、
コードレス電話親機は、収容番号データと呼び出し符号データが登録される親機運用データを有し、呼び出し符号データが付与されているときにコードレス電話主装置からの呼び出し符号要求に対して呼び出し符号を通知する機能と、呼び出し符号データが付与されていないときにコードレス電話主装置から送られてくる収容番号データおよび呼び出し符号データを親機運用データとして格納する機能とを有する
ことを特徴とするコードレス電話システム。
【請求項２】
外線に接続され複数の内線回路を収容するコードレス電話主装置と、該コードレス電話主装置に内線回路に接続されるコードレス電話親機と、該コードレス電話親機との間で無線通信するコードレス電話子機とからなるコードレス電話システムにおいて、
コードレス電話主装置は、子機登録モードにあるコードレス電話親機が接続されたときに、子機登録モードにあるコードレス電話親機を経由して登録する子機から送られてきた登録する子機の端末符号データと、コードレス電話親機を経由して子機に通知する呼び出し符号データと、コードレス電話親機を経由して登録する子機から送られてきた内線番号を対応付けて子機運用データとして格納する機能を有し、
コードレス電話子機は、端末符号データと、呼び出し符号データと、内線電話番号データとからなる子機運用データとして格納する機能を有する
ことを特徴とするコードレス電話システム。
【請求項３】
外線に接続され複数の内線回路を収容するコードレス電話主装置と、該コードレス電話主装置に内線回路に接続されるコードレス電話親機と、該コードレス電話親機との間で無線通信するコードレス電話子機とからなるコードレス電話システムの親機登録方法において、
システム構築時に、コードレス電話主装置が、内線回路にコードレス電話親機が接続されたことを監視し、内線回路にコードレス電話親機が接続されると、このコードレス電話親機に対して呼び出し符号を要求し、コードレス電話親機から取得した呼び出し符号を内線回路部の収容番号データに対応させて記憶することを特徴とするコードレス電話システムの親機登録方法。
【請求項４】
請求項３に記載されたコードレス電話システムの親機登録方法において、
接続されたコードレス電話親機が呼び出し符号を持っていないときに、前記呼び出し符号を持っているコードレス電話親機から取得した呼び出し符号を、呼び出し符号を持っていないコードレス電話親機に通知することを特徴とするコードレス電話システムの親機登録方法。
【請求項５】
外線に接続され複数の内線回路を収容するコードレス電話主装置と、該コードレス電話主装置に内線回路に接続されるコードレス電話親機と、該コードレス電話親機との間で無線通信するコードレス電話子機とからなるコードレス電話システムの子機登録方法において、
コードレス電話主装置は、子機登録モードにあるコードレス電話親機が接続されたときに、子機登録モードにあるコードレス電話親機を経由して登録する子機から送られてきた登録する子機の端末符号データを登録し、呼び出し符号データを、コードレス電話親機を経由して子機に通知し、コードレス電話親機を経由して登録する子機から送られてきた内線番号を対応付けて子機運用データとして格納する
ことを特徴とするコードレス電話システムの子機登録方法。
【発明の詳細な説明】
【技術分野】
【０００１】
本発明は、コードレス電話主装置に接続される親機と子機とから構成されたコードレス電話システムにおいて、親機および子機をコードレス電話主装置に登録させる方法に関する。すなわち、本発明は、外線に接続され複数の内線回路を収容するコードレス電話主装置に、子機と無線で接続される複数のコードレス電話親機をコードレス電話主装置の内線回路に接続したコードレス電話システム、およびこのコードレス電話システム構築時にコードレス電話親機とコードレス電話子機をコードレス電話主装置に登録する方法に関する。
【背景技術】
【０００２】
通信システムにおいて、親機と子機の間で混信なく通信を行うために、親機および子機各々のＩＤ番号などを互いに通知し記憶する登録操作が行われている。この登録操作以後、通信を行う際にはこれらのＩＤ番号等をお互いに確認した後に通信路を開くことで語接続を防止している。登録を行う方法としては、（１）工場から出荷するときに特殊な治具等を用いて予め登録操作を行う方法や、（２）子機の通話ボタンやダイヤルキーの特定の数字を押下しながら電源を入れるなどの所定の登録モード設定操作後に登録操作を行うことで任意に子機と親機との通信を可能にする方法がある。また、（３）一般的に使用における登録操作では、親機と子機とを並列して操作しながら必要なパスワード等の入力を行う誤登録防止方法を採用していた。
【０００３】
これらの方法においては、（１）の方法では、機器をいったん工場などに戻し再登録を行わなければならず、（２）の方法では、子機の内に通話ボタンやダイヤルキーなどの入力手段を持たない構造には適用することができず、（３）の方法では、親機とはなれたところにある情報処理装置に接続して使用する形態の子機のときには親機と子機とを平行して操作することは困難であるという問題がある。
【０００４】
これらの問題を解決するために、ユーザが子機と親機の登録の新規設定および再設定を自由に行うことができ、さらに、その新規設定や設定の際に必要な入力手段を子機、親機ともに備えておく必要性をなくし、親機と子機を平行して操作する必要もない通信システムが提案されている（例えば、特許文献１参照）。
【０００５】
この通信システムにおける登録方法は、公衆網に接続された親機と情報処理装置からなる子機との間の登録処理であって、外線に接続されたコードレス電話主装置と、コードレス電話主装置の内線に接続された複数の親機と、これらの親機との間で無線により通信する子機とからなるコードレス通信システムにおいて、コードレス電話主装置に親機と子機を登録することについてはなんら配慮されていない。
【０００６】
また、コードレス電話装置において、親機に子機を登録するシステムとして、サービスセンターから登録パラメータを設定して子機登録する場合、入力手段のない親機でも子機登録を容易に行うことができるコードレス電話装置における子機登録システムにおいて、サービスセンターが登録パラメータを設定し編集する登録パラメータ設定・編集手段と、設定された登録パラメータを親機に通知する登録パラメータ通知手段と、登録の開始を親機に通知する登録開始通知手段とを備え、親機が、サービスセンターから登録の開始を通知された場合に子機の登録を開始する子機登録開始手段を備えたシステムが提案されており、ユーザからの操作により登録親機から登録子機を経由させて、他の子機にデータを伝達させ登録を行っていた。
【０００７】
すなわち、親機に接続される子機である自営モードまたは家庭モードのＰＨＳ（Ｐｅｒｓｏｎａｌ  Ｈａｎｄｙ  Ｐｈｏｎｅ  Ｓｙｓｔｅｍ）における子機登録方法は、サービスセンターから電話回線網を介して親機に対して登録パラメータを送信し、親機が子機に対して受信した登録パラメータを送信し、子機との間で子機登録シーケンスを実行して登録設定を行っている（例えば、特許文献２参照）。
【特許文献１】特開２００２−２７１４８５号公報
【特許文献２】特開２００２−１４２２５９号公報
【発明の開示】
【発明が解決しようとする課題】
【０００８】
本発明は、コードレス電話主装置と、この主装置に収容される複数のコードレス電話親機と、この親機と無線で接続されるコードレス電話子機とからなるコードレス電話システムにおいて、システム構築時に、呼び出し符号が付与されたコードレス電話親機をコードレス電話主装置に接続することによりコードレス電話主装置に自動的に登録され、呼び出し符号が付与されていないコードレス電話親機をコードレス電話主装置に接続すると自動的に呼び出し符号が付与されてコードレス電話主装置に登録され、コードレス電話親機を介してコードレス電話子機を自動的に登録することができる登録方法を提供することを目的とする。
【０００９】
本発明は、コードレス電話主装置と、このコードレス電話主装置に収容される複数のコードレス電話親機と、このコードレス電話親機と無線で接続されるコードレス電話子機とからなるコードレス電話システムの親機の登録において、他の電話機等の操作をせずに、コードレス電話親機をコードレス電話主装置に接続するだけで自動的に登録設定を行うことを目的とする。
【課題を解決するための手段】
【００１０】
上記課題を解決するために、本発明は、コードレス電話主装置と、このコードレス電話主装置に収容される複数のコードレス電話親機と、このコードレス電話親機と無線で接続されるコードレス電話子機とからなるコードレス電話システムにおいて、コードレス電話主装置に、主装置の内線に接続されるコードレス電話親機（呼び出し符号付与）に対して呼び出し符号等を要求する制御部を備え、コードレス電話親機（呼び出し符号付与）は呼び出し符号等の要求に対して処理できるように構成される。さらに、コードレス電話主装置の記憶部およびコードレス電話親機（呼び出し符号付与）の親機記憶部に必要なデータを保存する機能を備える。また、呼び出し符号が付与されていないコードレス電話親機（呼び出し符号未付与）にも、親機記憶部に必要なデータを保存する機能を備える。
【００１１】
上記課題を解決するために、本発明は、外線に接続され複数の内線回路を収容するコードレス電話主装置に、複数台のコードレス電話親機を接続し、これらのコードレス電話親機と無線で接続されるコードレス電話子機とからなるコードレス電話システムにおいて、コードレス電話親機が呼び出し符号を有しているときには、コードレス電話主装置は、コードレス電話親機が接続されたことを検出すると、コードレス電話親機に対して呼び出し符号の送出を通知し、当該コードレス電話親機から呼び出し符号の送出を受けると、当該コードレス電話親機の収容番号データとともに呼び出し符号を格納し、コードレス電話親機に対して収容番号データを送出し、収容番号データ格納完了の通知を受けると、呼び出し符号の登録を終了する。
【００１２】
上記コードレス電話システムにおいて、コードレス電話親機が呼び出し符号を有していないときには、コードレス電話主装置は、コードレス電話親機が接続されたことを検出すると、コードレス電話親機に対して呼び出し符号の送出を通知し、当該コードレス電話親機から呼び出し符号なしの通知を受けると、既に取得している呼び出し符号を当該コードレス電話親機に送出し、当該コードレス電話親機から呼び出し符号格納完了通知を受けると、当該コードレス電話親機の収容番号データとともに呼び出し符号を格納し、コードレス電話親機に対して収容番号データを送出し、収容番号データ格納完了の通知を受けると、呼び出し符号の登録を終了する。
【００１３】
上記コードレス電話システムにおいて、コードレス電話主装置にコードレス電話子機を登録する場合には、コードレス電話主装置に接続したコードレス電話親機を子機登録モードに設定し、コードレス電話親機から登録モード設定をコードレス電話主装置へ送出し、登録する子機から端末符号を受信したコードレス電話親機は、端末符号をコードレス電話主装置へ送出する。コードレス電話主装置は、コードレス電話子機の端末符号を格納し、このシステムの呼び出し符号を親機へ送出する。この呼び出し符号をコードレス電話親機はコードレス電話子機へ転送し、コードレス電話子機は受信した呼び出し符号を格納する。その後、コードレス電話子機はダイヤルボタンなどの入力手段から入力された内線番号を親機経由でコードレス電話主装置へ送出し、コードレス電話主装置は、端末符号と対応させて内線番号を格納した後、子機の設定を完了する。
【００１４】
すなわち、本発明は、外線に接続され複数の内線回路を収容するコードレス電話主装置と、該コードレス電話主装置に内線回路に接続されるコードレス電話親機と、該コードレス電話親機との間で無線通信するコードレス電話子機とからなるコードレス電話システムにおいて、コードレス電話主装置は、システム構築時であって内線回路にコードレス電話親機が接続されたときに、接続されたコードレス電話親機に対して呼び出し符号を要求する機能と、取得した呼び出し符号を内線回路部の収容番号データに対応させて記憶する機能と、接続されたコードレス電話親機が呼び出し符号を持っていないときに、前記呼び出し符号を持っているコードレス電話親機から取得した呼び出し符号を、呼び出し符号を持っていないコードレス電話親機に通知する機能とを有し、コードレス親機は、収容番号データと呼び出し符号データが登録される親機運用データを有し、呼び出し符号データが付与されているときにコードレス電話主装置からの呼び出し符号要求に対して呼び出し符号を通知する機能と、呼び出し符号データが付与されていないときにコードレス電話主装置から送られてくる収容番号データおよび呼び出し符号データを親機運用データとして格納する機能とを有する。
【００１５】
さらに、本発明は、外線に接続され複数の内線回路を収容するコードレス電話主装置と、該コードレス電話主装置に内線回路に接続されるコードレス電話親機と、該コードレス電話親機との間で無線通信するコードレス電話子機とからなるコードレス電話システムにおいて、コードレス電話主装置は、子機登録モードにあるコードレス電話親機が接続されたときに、子機登録モードにあるコードレス電話親機を経由して登録する子機から送られてきた登録する子機の端末符号データと、コードレス電話親機を経由してコードレス電話子機に通知する呼び出し符号データと、コードレス電話親機を経由して登録するコードレス電話子機から送られてきた内線番号を対応付けて子機運用データとして格納する機能を有し、コードレス電話子機は、端末符号データと、呼び出し符号データと、内線電話番号データとからなる子機運用データとして格納する機能を有する。
【００１６】
本発明は、外線に接続され複数の内線回路を収容するコードレス電話主装置と、該コードレス電話主装置に内線回路に接続されるコードレス電話親機と、該コードレス電話親機との間で無線通信するコードレス電話子機とからなるコードレス電話システムの親機登録方法において、システム構築時に、コードレス電話主装置が、内線回路にコードレス電話親機が接続されたことを監視し、内線回路にコードレス電話親機が接続されると、このコードレス電話親機に対して呼び出し符号を要求し、コードレス電話親機から取得した呼び出し符号を内線回路部の収容番号データに対応させて記憶する。
【００１７】
上記コードレス電話システムの親機登録方法において、接続されたコードレス電話親機が呼び出し符号を持っていないときに、前記呼び出し符号を持っているコードレス電話親機から取得した呼び出し符号を、呼び出し符号を持っていないコードレス電話親機に通知する。
【００１８】
本発明は、外線に接続され複数の内線回路を収容するコードレス電話主装置と、該コードレス電話主装置に内線回路に接続されるコードレス電話親機と、該コードレス電話親機との間で無線通信するコードレス電話子機とからなるコードレス電話システムの子機登録方法において、コードレス電話主装置は、子機登録モードにあるコードレス電話親機が接続されたときに、子機登録モードにあるコードレス電話親機を経由して登録するコードレス電話子機から送られてきた登録する子機の端末符号データを登録し、呼び出し符号データを、コードレス電話親機を経由してコードレス電話子機に通知し、コードレス電話親機を経由して登録するコードレス電話子機から送られてきた内線番号を対応付けて子機運用データとして格納する。
【発明の効果】
【００１９】
コードレス電話親機の登録において、他の電話機等の操作をせずに、コードレス電話親機をコードレス電話主装置に接続するだけで自動的に登録設定を行うことができる。
【００２０】
また、コードレス電話子機においても、他の電話機等の操作をせずに、１台のコードレス電話親機を登録モードにしてコードレス電話子機から内線番号を入力送信することで、登録設定を行うことができる。
【００２１】
コードレス電話主装置の内線と子機登録モード設定親機を通し無線にて、登録モード子機と呼び出し符号等のデータやり取りを行う。コードレス電話子機は呼び出し符号等の要求処理できる、子機制御部を有し子機記憶部に必要なデータを保存する機能を備える。
【００２２】
本発明によれば、従来はシステム構築工事での設定時間がかかり、人が手入力で行うためミスをする場合があったが、本発明によれば設定時間の短縮、間違えのない正確な設定登録を可能とすることができる。
【発明を実施するための最良の形態】
【００２３】
図１を用いて、本発明の親機登録方法および子機登録方法が適用されるコードレス電話システムの構成を説明する。コードレス電話システムは、少なくとも１つの外線７１に接続され複数の内線回路７２−１〜７２−ｎを収容する内線ポートＰ−１〜Ｐ−ｎを有する構内電話交換装置などのコードレス電話主装置（以下、単に主装置ともいうことがある）１０に、複数台のコードレス電話親機（以下、単に親機ともいうことがある）３０−１〜３０−ｎを接続し、これらの親機と無線で接続されるコードレス電話子機（以下、単に子機ともいうことがある）５０−１〜５０−ｎとで構成される。
【００２４】
このコードレス電話システムには、通常、システムに固有の呼び出し符号が付与されており、複数のコードレス電話親機の内の一つにのみ呼び出し符号が工場出荷時に登録され、他の親機には呼び出し符号は登録されずに出荷される。呼び出し符号は、例えば、９桁の固有の符号と４桁の付加ＩＤから構成される。付加ＩＤは、このシステムを構成する各装置毎にシステム構築時にそれぞれ付与されるＩＤである。
【００２５】
これらの呼び出し符号を用いて主装置１０に親機３０を登録するとき、従来は、ユーザからの操作により既に登録されている登録親機を用いて、他の親機にデータを伝達させ登録を行っていた。
【００２６】
本発明は、コードレス電話主装置に呼び出し符号が付与されたコードレス電話親機を接続することで、他の親機等より登録操作せず、また、他の親機を使用せずに自動的に当該コードレス電話親機の呼び出し符号を読み出し、コードレス電話主装置に登録する方法である。また、そのときに、必要な収容番号データ（例えば、内線回路部の内線ポート番号）等を、親機に格納させることができる。
【００２７】
主装置１０に呼び出し符号がない親機を接続すると、自動的に呼び出し符号および収容データ等をコードレス電話主装置から送り、当該親機に格納することができる。
【００２８】
また、子機を主装置に登録する場合には、１台の親機を子機登録モードに設定し、登録する子機の電源をＯＮにし、その子機より内線番号を入力し送信する。主装置は、子機の端末番号および内線番号を受け取り格納し、子機は呼び出し符号等のデータを受け取り格納する。この発明によれば、主装置に登録された親機を介して登録したい子機１台のみで簡単に子機登録できる。
【００２９】
図２から図６を用いて、本発明の第１の実施例を説明する。この実施例は、呼び出し符号が付与されたコードレス電話親機（呼び出し符号付与）と呼び出し符号が付与されていないコードレス電話親機（呼び出し符号未付与）をコードレス電話主装置に登録する例である。すなわち、この実施例は、主装置１０に、親機（呼び出し符号付与）３０−１と、親機（呼び出し符号未付与）３０−２を接続して、それぞれの親機を主装置１０に登録する例である。
【００３０】
図２に示すように、コードレス電話主装置１０は、制御部１１と、記憶部１２と、通話路回路部１３と、内線回路部１４と、外線回路部１５を有して構成される。
【００３１】
制御部１１は、親機および子機とのデータ制御および記憶部の制御を行う。
【００３２】
記憶部１２は、親機および子機からのデータおよび主装置のデータを記憶する。記憶部１２には、運用テーブルが格納される。
【００３３】
通話路回路部１３は、音声通話路の送話、受話回路部である。
【００３４】
内線回路部１４は、親機や子機とのデータの受け渡し部である。
【００３５】
外線回路部１５は、公衆回線等との接続回路部である。
【００３６】
コードレス電話親機３０は、親機制御部３１と、親機記憶部３２と、データ送受信部３３と、表示部３４と、親機無線部３５、アンテナ３６を有して構成される。
【００３７】
親機制御部３１は、主装置や子機とのデータ制御、および親機記憶部の制御を行う。
【００３８】
親機記憶部３２は、主装置からのデータと親機のデータを記憶する。
【００３９】
データ送受信部３３は、主装置とのデータの受け渡しを行う。
【００４０】
表示部３４は、親機の状態を表示する。
【００４１】
親機無線部３５は、無線で子機とのやり取りを行う。
【００４２】
アンテナ３６は、無線データを子機に送信したり受信したりする。
【００４３】
図３を用いて、主装置１０の記憶部１２に設けた親機運用データと、親機（呼び出し符号付与）３０−１の親機記憶部３２に設けた親機運用データの格納状況を説明する。上段は、登録前の親機運用データ格納状況を、下段は、登録後の親機運用データ格納状況をそれぞれ示す。登録処理前には、主装置１０の記憶部１２には、親機運用データ１２１として、Ａ：収容番号データ（内線回路部における回線収容ポートを示すデータ）、Ｂ：国番号データ等（国別に付与されるＩＤ等）、Ｃ：呼び出し符号（呼び出し符号データ：未登録）、Ｄ：収容番号に対応した親機登録の有無（なし）が、収容番号に対応して格納される。ここで、Ａ，Ｂは予め設定されている。親機（呼び出し符号付与）３０−１の記憶部３２には、運用データ３２１として、Ａ：収容番号データ（なし）、Ｂ：国番号データ等（なし）、Ｃ：呼び出し符号（呼び出し符号データ登録）が格納される。
【００４４】
登録処理後には、主装置１０の記憶部１２には、親機運用データ１２１として、Ａ：収容番号データ（内線回路部における回線収容ポートを示すデータ）、Ｂ：国番号データ等（国別に付与されるＩＤ等）、Ｃ：呼び出し符号（呼び出し符号データ：登録）、Ｄ：収容番号に対応した親機登録の有無（親機登録完了）が、収容番号に対応して格納される。一方、親機（呼び出し符号付与）３０−１の記憶部３２には、運用データ３２１として、Ａ：収容番号データ（収容番号データ：登録）、Ｂ：国番号データ等（国別に付与されるＩＤ等：登録）、Ｃ：呼び出し符号（呼び出し符号データ）が格納される。
【００４５】
図４を用いて、第１の実施例における親機（呼び出し符号付与）の登録処理を説明する。主装置１０は、内線回路部１４の状態から内線ポートに親機が接続されたかを監視する（Ｓ１）。親機（呼び出し符号付与）３０−１が主装置１０に接続されたことを検出すると、主装置は親機登録モードに移行する（Ｓ２）。主装置１０は、制御部１１から内線回路部１４を経由して当該親機（呼び出し符号付与）３０−１に対して“呼び出し符号送出要求”を通知する（Ｓ３）。
【００４６】
“呼び出し符号送出要求”をデータ送受信部３３で受信した親機（呼び出し符号付与）３０−１は、データを親機制御部３１で読みとり（Ｓ４）、親機制御部３１にて親機記憶部３２の呼び出し符号データを読み出し、データ送受信部３３を経由してあらかじめ付与されている自己の“呼び出し符号”を送出する（Ｓ５）。
【００４７】
親機（呼び出し符号付与）３０−１から内線回路部１４を経由して“呼び出し符号”を受信した主装置１０は、制御部１１でデータを読みとり、記憶部１２に設けた運用データの収容番号に対応して“呼び出し符号データ”を格納する（Ｓ６）。
【００４８】
主装置１０の制御部１１から親機（呼び出し符号付与）３０−１が接続された内線ポートに対応する“収容番号データ”を送出する（Ｓ７）。親機（呼び出し符号付与）３０−１は、“収容番号データ”をデータ送受信部３３で受信し、親機制御部３１で読み取り親機記憶部２２に“収容番号データ”を格納し（Ｓ８）、親機制御部３１から収容番号データの格納が完了したことを表す“収容番号データ格納完了”を、」データ送受信部３３を介して送出する（Ｓ９）。
【００４９】
主装置１０では、内線回路部１４を介して制御部１１で“収容番号データ格納完了”を読み取る。制御部１１で、記憶部１２の親機運用データ１２１を読み出し（Ｓ９）、内線回路部１４を介して“国番号データ等”
を送出する（Ｓ１０）。
【００５０】
親機（呼び出し符号付与）３０−１では、“国番号データ”をデータ送受信部３３で受信し親機制御部３１で読みとり親機記憶部３２に格納し（Ｓ１１）、親機制御部３１から国番号データ等格納処理が完了したことを表す“国番号データ等格納完了”をデータ送受信部３３を介して送出する（Ｓ１２）。
【００５１】
主装置１０は、“国番号データ等格納完了”を内線回路部１４経由で受信し、制御部１１で読みとると、“設定完了信号”を制御部１１から内線回路部１４を経由して送出する（Ｓ１３）。
【００５２】
親機（呼び出し符号付与）３０−１は、“設定完了信号”をデータ送受信部３３で受信し親機制御部３１で読みとり、待ち受け状態に移行する（Ｓ１３）。表示部３４では、登録モード中か待機中かを親機制御部３１の制御により表示する。
【００５３】
このようにして、親機（呼び出し符号付与）を主装置に接続することによって、当該親機を主装置に自動的に登録することができる。
【００５４】
図５を用いて、主装置１０の記憶部１２に設けた運用データと、親機（呼び出し符号未付与）３０−２の親機記憶部３２に設けた運用データの格納状況を説明する。上段は、登録前の運用データ格納状況を、下段は、登録後の運用データ格納状況をそれぞれ示す。登録処理前には、主装置１０の記憶部１２には、親機運用データ１２１として、Ａ：収容番号データ（内線回路部における回線収容ポートを示すデータ）、Ｂ：国番号データ等（国別に付与されるＩＤ等）、Ｃ：呼び出し符号（呼び出し符号データ：未登録）、Ｄ：収容番号に対応した親機登録の有無（なし）が、収容番号に対応して格納される。ここで、Ａ，Ｂは予め設定されている。親機（呼び出し符号未付与）３０−２の記憶部３２には、運用データ３２１として、Ａ：収容番号データ（なし）、Ｂ：国番号データ等（なし）、Ｃ：呼び出し符号（なし）が格納される。
【００５５】
登録処理後には、主装置１０の記憶部１２には、親機運用データ１２１として、Ａ：収容番号データ（内線回路部における回線収容ポートを示すデータ）、Ｂ：国番号データ等（国別に付与されるＩＤ等）、Ｃ：呼び出し符号（呼び出し符号データ：登録）、Ｄ：収容番号に対応した親機登録の有無（親機登録完了）が、収容番号に対応して格納される。一方、親機（呼び出し符号未付与）３０−２の記憶部３２には、運用データ３２１として、Ａ：収容番号データ（収容番号データ：登録）、Ｂ：国番号データ等（国別に付与されるＩＤ等：登録）、Ｃ：呼び出し符号（呼び出し符号データ）が格納される。
【００５６】
図６を用いて、第１の実施例における親機（呼び出し符号未付与）３０−２の登録処理を説明する。主装置１０は、内線回路部１４の状態から内線ポートに親機が接続されたかを監視する（Ｓ２１）。親機（呼び出し符号未付与）３０−２が主装置１０に接続されたことを検出すると、主装置は“親機状態要求”を送出する（Ｓ２２）。
【００５７】
親機（呼び出し符号未付与）３０−２は、自己の状態を示す“親機状態”を送出する（Ｓ２３）。“親機状態”を受けた主装置１０は、親機（呼び出し符号未付与）３０−２を登録モードに設定することを要求する“登録モード要求”を送出する（Ｓ２４）。“登録モード要求”を受けた親機（呼び出し符号未付与）３０−２は、登録モードに移行する（Ｓ２５）。親機（呼び出し符号未付与）３０−２は、“登録モード完了”を送出する（Ｓ２６）。
【００５８】
親機（呼び出し符号未付与）３０−２が登録モードとなったことを知った主装置１０は、制御部１１から内線回路部１４を経由して当該親機（呼び出し符号未付与）３０−２に対して“呼び出し符号送出要求”を通知する（Ｓ２７）。
【００５９】
“呼び出し符号送出要求”をデータ送受信部３３で受信した親機（呼び出し符号未付与）３０−２は、データを親機制御部３１で読みとり、親機制御部３１にて親機記憶部３２の呼び出し符号データを読み出すが、呼び出し符号が未付与であるので、データ送受信部３３を経由して“呼び出し符号なし”を送出する（Ｓ２８）。
【００６０】
親機（呼び出し符号未付与）３０−２から内線回路部１４を経由して“呼び出し符号なし”を受信した主装置１０は、制御部１１でデータを読みとり、記憶部１２に設けた運用データの収容番号に対応して当該親機の呼び出し符号（このコードレス電話システムに固有の呼び出し符号に親機３０−２に固有の識別データを付与した呼び出し符号）を設定し、運用データに格納するとともに（Ｓ２９）、“呼び出し符号”を送出する（Ｓ３０）。
【００６１】
“呼び出し符号”を受けた親機（呼び出し符号未付与）３０−２は、呼び出し符号を親機記憶部３２に格納した後（Ｓ３１）、“呼び出し符号格納完了”を送出する（Ｓ３２）。
【００６２】
主装置１０の制御部１１から親機（呼び出し符号未付与）３０−２が接続された内線ポートに対応する“収容番号データ”を送出する（Ｓ３３）。親機（呼び出し符号付与）３０−１は、“収容番号データ”をデータ送受信部３３で受信し、親機制御部３１で読み取り親機記憶部２２に“収容番号データ”を格納し（Ｓ３４）、親機制御部３１から収容番号データの格納が完了したことを表す“収容番号データ格納完了”を、データ送受信部３３を介して送出する（Ｓ３５）。
【００６３】
主装置１０では、内線回路部１４を介して制御部１１で“収容番号データ格納完了”を読みとる。制御部１１で記憶部１２のデータを読み出し（Ｓ３６）、内線回路部１４を介して“国番号データ等”を送出する（Ｓ３７）。
【００６４】
親機（呼び出し符号付与）３０−１では、“国番号データ”をデータ送受信部３３で受信し親機制御部３１で読みとり親機記憶部２２に格納し（Ｓ３８）、親機制御部３１から国番号データ等格納処理が完了したことを表す“国番号データ等格納完了”をデータ送受信部３３を介して送出する（Ｓ３９）。
【００６５】
主装置１０は、“国番号データ等格納完了”を内線回路部１４経由で受信し、制御部１１で読みとると、設定完了信号を制御部１１から内線回路部１４を経由して送出する（Ｓ４０）。
【００６６】
親機（呼び出し符号未付与）３０−２は、“設定完了信号”をデータ送受信部３３で受信し親機制御部３１で読みとり、待ち受け状態に移行する（Ｓ４１）。表示部３４では、登録モード中か待機中かを親機制御部３１の制御により表示する。
【００６７】
このようにして、親機（呼び出し符号未付与）を主装置に接続することによって、自動的に親機に呼び出し符号を付与するとともに当該親機を主装置に登録することができる。
【００６８】
本発明の第２の実施例を、図７から図９を用いて説明する。この実施例は、子機登録モードにあるコードレス電話親機を介してコードレス電話主装置にコードレス電話子機を登録する例である。
【００６９】
この実施例では、コードレス電話機１０は、第１の実施例と同じであり、コードレス電話親機３０−３は、主装置１０に登録されておりかつ子機登録モードに設定されている点を除いて第１の実施例と同じであるので、その説明を省略する。
【００７０】
図７に示すように、コードレス電話子機５０は、子機制御部５１と、子機記憶部５２と、表示部５３と、キー部５４と、子機無線部５５と、アンテナ３６を有して構成される。
【００７１】
子機制御部５１は、親機とのデータ制御および子機記憶部の制御を行う。
【００７２】
子機記憶部５２は、主装置からのデータと子機のデータを記憶する。
【００７３】
表示部５３は、子機の状態を表示する。
【００７４】
キー部５４は、子機のダイヤル等のキーである。
【００７５】
子機無線部５５は、無線で親機とやり取りを行う。
【００７６】
アンテナ３６は、無線データを親機に送信したり受信したりする。
【００７７】
図８を用いて、主装置１０の記憶部１２に設けた運用データと、子機（登録モード）５０の親機記憶部５２に設けた運用データの格納状況を説明する。上段は、登録前の運用データ格納状況を、下段は、登録後の運用データ格納状況をそれぞれ示す。登録処理前には、主装置１０の記憶部１２には、子機運用データ１２２として、Ａ：端末符号データ（なし）、Ｂ：呼び出し符号等等（呼び出し符号等）、Ｃ：内線番号データ（子機の内線番号データ：未登録）、Ｄ：端末番号に対応した子機登録の有無（なし）が、端末符号に対応して格納される。ここで、Ｂは予め設定されている。子機（登録モード）５０の記憶部５２には、子機運用データ５２１として、Ａ：端末符号データ（登録）、Ｂ：呼び出し符号データ等（なし）、Ｃ：内線番号データ（登録）が格納される。
【００７８】
登録処理後には、主装置１０の記憶部１２には、子機運用データ１２２として、Ａ：端末符号データ（端末符号：登録）、Ｂ：呼び出し符号等（呼び出し符号等）、Ｃ：内線番号データ（子機の内線番号データ：登録）、Ｄ：端末符号に対応した子機登録の有無（完了）が、端末符号に対応して格納される。一方、子機（登録モード）５０の記憶部５２には、子機運用データ５２１として、Ａ：端末符号データ（登録）、Ｂ：呼び出し符号データ等（登録）、Ｃ：内線番号データ（登録）が格納される。
【００７９】
このような構成を持つ登録モードに設定された子機５０を用いて、子機登録モードに設定された親機３０−３を経由して、主装置１０に子機登録する処理を、図９を用いて説明する。主装置１０に子機登録モード設定状態の親機３０−１を接続する（Ｓ５１）。親機（子機登録モード設定）３０−３は、親機制御部３１からデータ送受信部３３経由で“登録モード設定”
を制御部１１で受信する。
【００８０】
一方、子機（登録モード）５０の電源を入れると自動的に登録モードに設定され（Ｓ５３）、子機制御部５１より表示部５３に“登録モード状態”を表示する。キー部５４から任意な内線番号を入力し送信する（Ｓ５４）と、子機制御部５１から子機無線部５５、アンテナ５６を通り無線信号で“端末符号信号”を送出する（Ｓ５５）。
【００８１】
親機（子機登録モード）３９−３は、アンテナ３６、親機無線部３５を経由した“端末符号信号”を親機制御部３１で読みとり、データ送受信部３３から“端末符号信号”を送出する（Ｓ５６）。
【００８２】
主装置１０は、内線回路部４４を経由した“端末符号信号”を制御部４１で読みとり、記憶部１２に端末符号を格納する（Ｓ５７）。主装置１０は、制御部１１から内線回路部１４を経由して“呼び出し符号等”を送出し（Ｓ５８）、親機（子機登録モード）３０−３は、データ送受信部３３で受信した“呼び出し符号等”を親機制御部３１で読みとり、親機無線部３５、アンテナ３６を経由して“呼び出し符号等”を送出する（５９）。
【００８３】
子機（登録モード）５０は、アンテナ５６、子機無線部５５経由で受信した“呼び出し符号等”を子機制御部５１で読みとり、子機記憶部５２に格納する（Ｓ６０）。
【００８４】
キー部５４を操作して“内線番号”を入力すると、子機（登録モード）５０は、子機制御部５１から子機無線部５５、アンテナ５６を経由して“内線番号”を送出する（Ｓ６１）。親機（子機登録モード設定）３０−３は、アンテナ３６、親機無線部３５経由で“内線番号”を受信し、親機制御部３１にて読みとり、データ送受信部３３から“内線番号”を送出する（Ｓ６２）。
【００８５】
主装置１０は、内線回路部１４を経由して制御部１１で“内線番号”を読みとり、記憶部１２に格納する（Ｓ６３）。ついで、主装置１０は、制御部１１から内線回路部１４を経由して“設定完了”を送る（Ｓ６４）。
【００８６】
親機（子機登録モード設定）３０−３は、データ送受信部３３で受信した“設定完了”を親機制御部３１で読みとり、親機無線部３５、アンテナ３６を経由して“設定完了”を送信する（Ｓ６５）。
【００８７】
子機（登録モード）５０は、アンテナ５６、子機無線部５５で受信した“設定完了”を子機制御部５１で読みとり、待ち受け状態にし（Ｓ６６）、表示部５３では、登録モード中か待機中かを子機制御部５１の制御により表示する。
【図面の簡単な説明】
【００８８】
【図１】コードレス電話システムの概念を説明する図
【図２】第１の実施例にかかるコードレス電話システムを構成するコードレス電話主装置とコードレス電話親機の構成を説明する図
【図３】親機（呼び出し符号付与）と主装置の親機運用データ格納状況を説明する図
【図４】親機（呼び出し符号付与）の処理の流れを説明する図
【図５】親機（呼び出し符号未付与）と主装置の親機運用データ格納状況を説明する図
【図６】親機（呼び出し符号未付与）の処理の流れを説明する図
【図７】第２の実施例にかかるコードレス電話システムを構成するコードレス電話主装置とコードレス電話親機とコードレス電話子機の構成を説明する図
【図８】登録する子機と主装置の親機運用データ格納状況を説明する図
【図９】登録する子機の処理の流れを説明する図
【符号の説明】
【００８９】
１０  コードレス電話主装置（主装置）
１１  制御部
１２  記憶部
１２１  親機運用データ
１２２  子機運用データ
１３  通話回路部
１４  内線回路部
１５  外線回路部
３０  コードレス電話親機（親機）
３０−１  コードレス電話親機（呼び出し符号付与）
３０−２  コードレス電話親機（呼び出し符号未付与）
３０−３  コードレス電話親機（子機登録モード設定）
３１  親機制御部
３２  親機記憶部
３２１  親機運用データ
３３  データ送受信部
３４  表示部
３５  親機無線部
３６  アンテナ
５０  コードレス電話子機（子機）
５１  子機制御部
５２  子機記憶部
５２１  子機運用データ
５３  表示部
５４  キー部
５５  子機無線部
５６  アンテナ
７１  外線
７２  内線回路
【図１】
2006025368.tif 000003
【図２】
2006025368.tif 000004
【図３】
2006025368.tif 000005
【図４】
2006025368.tif 000006
【図５】
2006025368.tif 000007
【図６】
2006025368.tif 000008
【図７】
2006025368.tif 000009
【図８】
2006025368.tif 000010
【図９】
2006025368.tif 000011